(57)【要約】【課題】操作性をさらに高める。【解決手段】パネル部１０３によって印刷可能なファイルに関連付けられたアイコンと、プリンターアイコンとを表示し、パネル操作制御部１１６により、アイコンへのタッチ操作を受け付け、この受け付けたアイコンに対する操作処理を行い、音声認識部１１５により、マイク１０２が取り込んだ音声による設定内容を認識し、設定情報管理部１１７により、設定内容を管理し、システム制御部１１９により、パネル操作制御部１１６がアイコンへのタッチ操作に基づく操作処理の途中で、音声認識部１１５が設定内容を認識すると、設定情報管理部１１７に対し、設定内容を、アイコンに関連付けて管理させる。また、システム制御部１１９は、アイコンがプリンターアイコンにドラッグアンドドロップされると、アプリケーションの手順に従い、印刷可能なファイルと設定内容とに基づいた印刷開始を指示する。【選択図】図１
2019139674.tif 000002
【特許請求の範囲】
【請求項１】
マイクと、
印刷可能なファイルに関連付けられた第１のアイコンと、アプリケーションに関連付けられた第２のアイコンとを表示するパネル部と、
前記第１のアイコンへのタッチ操作を受け付け、この受け付けた第１のアイコンに対する操作処理を行うパネル操作制御部と、
前記マイクが取り込んだ音声による設定内容を認識する音声認識部と、
前記設定内容を管理する設定情報管理部と、
前記パネル操作制御部が前記第１のアイコンへのタッチ操作に基づく操作処理の途中で、前記音声認識部が前記設定内容を認識すると、前記設定情報管理部に対し、前記設定内容を、前記第１のアイコンに関連付けて管理させるシステム制御部とを備え、
前記システム制御部は、前記第１のアイコンが前記第２のアイコンにドラッグアンドドロップされると、前記アプリケーションの手順に従い、前記設定内容に基づいて前記印刷可能なファイルの画像処理を指示する
ことを特徴とする電子機器。
【請求項２】
前記システム制御部は、前記設定内容に基づいて前記印刷可能なファイルの印刷を指示することを特徴とする請求項１に記載の電子機器。
【請求項３】
前記システム制御部は、前記設定情報管理部による設定内容の管理が完了すると、前記パネル操作制御部に対し、設定内容の管理が完了した前記第１のアイコンの表示を変化させるように指示することを特徴とする請求項１に記載の電子機器。
【請求項４】
前記システム制御部は、前記第１のアイコンが他の前記印刷可能なファイルに関連付けられた第３のアイコン上を通過すると、前記設定情報管理部に対し、前記第３のアイコンの設定内容を前記第１のアイコンの設定内容と同じ内容で管理させることを特徴とする請求項１に記載の電子機器。
【請求項５】
前記音声認識部は、前記音声の設定内容に関わる音声パターンとの比較により、前記音声を認識することを特徴とする請求項１〜４のいずれかに記載の電子機器。
【発明の詳細な説明】
【技術分野】
【０００１】
本発明は、画面のタッチ操作による指示と、音声による指示とを組み合わせたＵＩ（User Interface）を有する電子機器に関する。
【背景技術】
【０００２】
電子機器の一つとして、スマートフォン等の携帯端末がある。携帯端末に対しての指示は、タッチ操作が可能なパネル部を介して行うことができる。なお、近年では、音声認識の技術の進歩に伴い、パネル部を介しての指示と音声認識による指示とを組み合わせた技術も提案されている。
【０００３】
その一つとして、特許文献１では、次のような構成の情報伝達システムを提案している。すなわち、ユーザーＡは端末装置のタッチパネルを操作してユーザーリストを開き、表示されるユーザーリストのうちメッセージを送りたいユーザーＢに対して長押し操作を行う。この長押し操作の間に、ユーザーＡはユーザーリストに指を当てたまま端末装置に向かって音声を発すると共に、上下方向に振って振動を起こす。そしてユーザーＡが指を離して長押し操作を終了すると、端末装置はテキスト及び振動データを情報伝達サーバに送信する。情報伝達サーバは、これらのメッセージに付与されたユーザーＢの送信先情報をキーにしてデータ記憶手段に記憶すると共に、ユーザーＢの端末装置に、メッセージを受信した旨の通知を送信する。
【先行技術文献】
【特許文献】
【０００４】
【特許文献１】特開２０１３−１５７７５８号公報
【発明の概要】
【発明が解決しようとする課題】
【０００５】
上述した特許文献１での情報伝達システムでは、ユーザーがタッチパネルを長押し操作する間に、データ記録制御手段がオブジェクトに従ってメッセージを記録し、画面接触検知手段が長押し操作の終了を検知すると、データ送受信制御手段がメッセージと振動データとを情報伝達サーバに送信するので、極めて簡単なワンモーションのキー操作のみでユーザが伝えたいと想った感情をメッセージとして素早く送信できる。
【０００６】
ところで、この情報伝達システムは、タッチ操作による長押しによってメッセージを記録し、タッチ操作による長押しを止めることで、メッセージを送信するといった方法を採用している。つまり、タッチ操作は、メッセージの記録のみに限定されている。このため、たとえば記録したメッセージを送信以外に活用したりすることができない。
【０００７】
この場合、たとえば画面のタッチによる一連の操作の中で、メッセージの記録以外の処理を実行できるようにすると、操作性をさらに高めることができるものと考えられる。このようなことから、操作性をさらに高めることができる装置の開発が望まれている。
【０００８】
本発明は、このような状況に鑑みてなされたものであり、上記問題点を解消することができる電子機器を提供することを目的とする。
【課題を解決するための手段】
【０００９】
本発明の電子機器は、マイクと、印刷可能なファイルに関連付けられた第１のアイコンと、アプリケーションに関連付けられた第２のアイコンとを表示するパネル部と、前記第１のアイコンへのタッチ操作を受け付け、この受け付けた第１のアイコンに対する操作処理を行うパネル操作制御部と、前記マイクが取り込んだ音声による設定内容を認識する音声認識部と、前記設定内容を管理する設定情報管理部と、前記パネル操作制御部が前記第１のアイコンへのタッチ操作に基づく操作処理の途中で、前記音声認識部が前記設定内容を認識すると、前記設定情報管理部に対し、前記設定内容を、前記第１のアイコンに関連付けて管理させるシステム制御部とを備え、前記システム制御部は、前記第１のアイコンが前記第２のアイコンにドラッグアンドドロップされると、前記アプリケーションの手順に従い、前記設定内容に基づいて前記印刷可能なファイルの画像処理を指示することを特徴とする。
また、前記システム制御部は、前記設定内容に基づいて前記印刷可能なファイルの印刷を指示することを特徴とする。
また、前記システム制御部は、前記設定情報管理部による設定内容の管理が完了すると、前記パネル操作制御部に対し、設定内容の管理が完了した前記第１のアイコンの表示を変化させるように指示することを特徴とする。
また、前記システム制御部は、前記第１のアイコンが他の前記印刷可能なファイルに関連付けられた第３のアイコン上を通過すると、前記設定情報管理部に対し、前記第３のアイコンの設定内容を前記第１のアイコンの設定内容と同じ内容で管理させることを特徴とする。
また、前記音声認識部は、前記音声の設定内容に関わる音声パターンとの比較により、前記音声を認識することを特徴とする。
本発明の電子機器では、パネル部により、印刷可能なファイルに関連付けられた第１のアイコンと、アプリケーションに関連付けられた第２のアイコンとを表示し、パネル操作制御部により、第１のアイコンへのタッチ操作を受け付け、この受け付けた第１のアイコンに対する操作処理を行い、音声認識部により、マイクが取り込んだ音声による設定内容を認識し、設定情報管理部により、設定内容を管理し、システム制御部により、パネル操作制御部が第１のアイコンへのタッチ操作に基づく操作処理の途中で、音声認識部が設定内容を認識すると、設定情報管理部に対し、設定内容を、第１のアイコンに関連付けて管理させる。また、システム制御部は、第１のアイコンが第２のアイコンにドラッグアンドドロップされると、アプリケーションの手順に従い、設定内容に基づいて印刷可能なファイルの画像処理を指示する。
これにより、画面のタッチによる一連の操作の中で、音声による設定内容の認識、認識した設定内容の管理、印刷可能なファイルと設定内容とを含む画像処理の開始の指示といった操作処理を実行できる。
【発明の効果】
【００１０】
本発明の電子機器によれば、画面のタッチによる一連の操作の中で、音声による設定内容に基づいての操作処理を実行できるため、操作性を高めることがきる。
【図面の簡単な説明】
【００１１】
【図１】本発明の電子機器を携帯端末に適用した場合の一実施形態を示す図である。
【図２】図１の携帯端末のパネル部での操作処理の実施例１について説明するものであって、図２（ａ）はアイコンを長押しして音声による設定内容を取得する状態を示す図であり、図２（ｂ）は設定内容を取得したアイコンをプリンターアイコンにドラッグアンドドロップすることで、印刷開始を指示する場合を示す図である。
【図３】図１の携帯端末のパネル部での操作処理の実施例２について説明する図であり、図３（ａ）はアイコンの設定内容を他のアイコンにコピーさせる状態を示す図であり、図３（ｂ）はコピー元のアイコンをプリンターアイコンにドラッグアンドドロップすることで、印刷開始を指示する場合を示す図である。
【図４】図１の携帯端末のパネル部での操作処理の実施例３について説明するものであって、図４（ａ）はアイコンを長押しして音声による設定内容を取得する状態を示す図であり、図４（ｂ）は長押ししているアイコンと同じファイル形式の他のアイコンをユーザーに知らせる状態を示す図である。
【図５】図１の携帯端末での画面のタッチによる一連の操作の中で実行される操作処理について説明するためのフローチャートである。
【発明を実施するための形態】
【００１２】
以下、本発明の電子機器をスマートフォン等の携帯端末に適用した場合の一実施形態について、図１〜図７を参照しながら説明する
【００１３】
まず、図１に示す携帯端末１００は、少なくともWi-Fi（登録商標）や、Wi-Fi Direct（登録商標）の規格に基づいた無線ＬＡＮ(Local Area Network)での無線通信機能を有しているものとする。また、携帯端末１００は、無線通信機能により図示しないＭＦＰ(Multifunction Peripheral)等の画像形成装置と通信し、印刷の指示や印刷設定の指示等を行うことができるものとする。また、携帯端末１００には、画像形成装置に対しての印刷の指示や印刷設定の指示等を行う専用のアプリケーションがインストールされているものとする。
【００１４】
携帯端末１００は、アンテナ１０１、マイク１０２、パネル部１０３を制御する制御部１１０を備えている。アンテナ１０１は、図示しない無線基地局を介し、他の携帯端末１００との間での電波を送受信する。マイク１０２は、音声を取り込む。パネル部１０３は、携帯端末１００の各種機能の選択等を行うタッチパネル等のデバイスである。
【００１５】
制御部１１０は、制御プログラム等を実行して携帯端末１００全体の動作を制御するプロセッサーである。制御部１１０は、通信制御部１１１、マイク制御部１１２、ＲＡＭ(Random Access Memory)１１３、EEPROM(electrically erasable and programmable read-only memory)１１４、音声認識部１１５、パネル操作制御部１１６、設定情報管理部１１７、アイコン種別管理部１１８、システム制御部１１９を備えている。また、これらは、データバス１２０に接続されている。
【００１６】
通信制御部１１１は、アンテナ１０１を介し、図示しない無線基地局を経由し、他の携帯端末１００との間での電波を送受信する。マイク制御部１１２は、マイク１０２の音声の取り込みを制御する。ＲＡＭ１１３は、プログラムを実行するためのワークメモリーである。EEPROM １１４には、各部の動作チェック等を行う制御プログラムが記憶されている。また、EEPROM １１４には、音声認識部１１５が音声認識を行う際に参照する音声パターンが記憶されている。ちなみに、音声パターンは、音声による指示に関するものである。このように、音声パターンの内容を限定することで、音声パターンのデータ量を少なくできる。
【００１７】
音声認識部１１５は、マイク１０２が取り込んだ音声を認識する。なお、音声認識部１１５は、マイク１０２が取り込んだ音声を認識する際、EEPROM １１４に記憶されている音声パターンを参照する。これにより、音声認識部１１５は、音声による指示に関するもの以外の音声については認識しない。パネル操作制御部１１６は、パネル部１０３の表示動作を制御する。また、パネル操作制御部１１６は、パネル部１０３でのタッチ操作を受け付ける。
【００１８】
設定情報管理部１１７は、詳細については後述するが、たとえば音声入力によって指示された印刷設定に関わる［２ｉｎ１］、［モノクロ印刷］、［エコプリント］、［１０部］等を、後述の図２等に示すいずれかアイコンａ〜ｄに関連付けて管理する。アイコン種別管理部１１８は、後述の図２等に示すそれぞれのアイコンａ〜ｄの種別を管理する。ちなみに、［２ｉｎ１］は、1枚の用紙に２ページ分のデータを割り付けて印刷する設定である。［モノクロ印刷］は、白黒印刷の設定である。［エコプリント］は、トナーの量を節約する設定である。［１０部］は、印刷部数の設定である。なお、ここでの印刷設定はあくまでも一例であり、これらの設定以外も同様に用いることができる。また、ここでの種別とは、たとえばアイコンａ〜ｄが示すファイル形式が同じ印刷設定に対応しているかどうかを区別することである。ちなみに、後述の図２等に示すそれぞれのアイコンａ〜ｄは、印刷可能なファイルを示すものとなっているとする。また、印刷可能なファイルとしては、たとえば文書ファイルや画像ファイルである。
【００１９】
システム制御部１１９は、各部の連携動作を制御する。また、システム制御部１１９は、パネル操作制御部１１６がパネル部１０３でのタッチ操作を受け付けると、パネル操作制御部１１６に対し、パネル部１０３での画面のタッチによる一連の操作を受け付けさせ、さらに、音声認識部１１５がマイク１０２の取り込んだ音声による設定内容を認識すると、設定情報管理部１１７に対し、設定内容を管理させる。
【００２０】
次に、図２〜図４を参照し、パネル部１０３でのタッチ操作による指示と、音声による指示とに基づいた操作処理の様々な例について説明する。
【００２１】
（実施例１）
まず、図２により、携帯端末１００のパネル部１０３での操作処理の実施例１について説明する。図２（ａ）は、たとえば上述した画像形成装置に対しての印刷の指示や印刷設定の指示等を行う専用のアプリケーションの起動によりパネル部１０３に表示される画面(以下、印刷設定画面という)を示している。なお、ここでは、印刷設定画面を例としているが、必ずしも印刷設定画面に限定されるものではない。つまり、アイコンａ〜ｄやプリンターアイコン１３０が配置されている画面であればよく、たとえばホーム画面であっても本実施例での操作処理は実施できる。
【００２２】
印刷設定画面には、たとえばアイコンａ〜ｄと、プリンターアイコン１３０とが表示されている。アイコンａ〜ｄは、それぞれ異なる印刷可能なファイルを示している。なお、それぞれのアイコンａ〜ｄには、ファイル名、データサイズ等が表示されてもよい。また、それぞれのアイコンａ〜ｄが示す印刷可能なファイルは、EEPROM １１４に記憶されていてもよいし、ＳＤカード等の外部メモリーに記憶されていてもよい。
【００２３】
プリンターアイコン１３０は、上述した無線通信で接続されている画像形成装置を示している。また、プリンターアイコン１３０は、印刷開始を指示するアプリケーションに関連付けられている。ちなみに、いずれかのアイコンａ〜ｄをプリンターアイコン１３０にドラッグアンドドロップすると、システム制御部１１９がプリンターアイコン１３０に関連付けられているアプリケーションの手順に従い、ドラッグアンドドロップされたいずれかのアイコンａ〜ｄが示す印刷可能なファイルをEEPROM １１４等から読み出し、通信制御部１１１及びアンテナ１０１を介し、画像形成装置に送信する。なお、プリンターアイコン１３０は、設定内容に基づいて画像処理を指示するアプリケーションに関連付けられていてもよい。この場合、たとえば画像処理後に、指定された保存先に設定内容等を送信したりできる。
【００２４】
ここで、ユーザーは、パネル部１０３の画面にタッチし、アイコンａを長押ししたとする。なお、ここでの長押しは、音声認識の開始として設定されているとする。この場合、ユーザーがアイコンａを長押ししているため、音声認識はアイコンａに関わるものとなる。すなわち、アイコンａを長押しした状態で、たとえば［２ｉｎ１］、及び［モノクロ印刷］と発すると、音声認識部１１５が設定内容である［２ｉｎ１］、及び［モノクロ印刷］を認識し、システム制御部１１９に認識した［２ｉｎ１］、及び［モノクロ印刷］を示すデータを通知する。このとき、システム制御部１１９は、設定情報管理部１１７に対し、アイコンａに対する設定である、［２ｉｎ１］、及び［モノクロ印刷］を示すデータを管理させる。この場合、システム制御部１１９は、設定情報管理部１１７に対して設定内容（設定内容を示すデータ）を管理させると、パネル操作制御部１１６に対し、パネル部１０３にアイコンａに対する設定完了を示す内容をポップアップ等で表示させるように指示してもよい。ちなみに、ユーザーがアイコンｂ〜ｄのいずれかを長押しした場合も、上記同様に、システム制御部１１９が設定情報管理部１１７に対し、いずれかのアイコンｂ〜ｄ対する設定である、［２ｉｎ１］、及び［モノクロ印刷］を示すデータを管理させる。
【００２５】
また、ユーザーは、アイコンａが示す印刷可能なファイルを印刷するとき、図２（ｂ）に示すように、長押ししている状態のアイコンａをプリンターアイコン１３０までドラッグし、プリンターアイコン１３０の位置でドロップする。これにより、システム制御部１１９がドラッグアンドドロップされたアイコンａが示す印刷可能なファイルをEEPROM １１４等から読み出し、さらにアイコンａの設定内容を設定情報管理部１１７から受け取り、通信制御部１１１及びアンテナ１０１を介し、画像形成装置に送信する。
【００２６】
このように、システム制御部１１９は、アイコンａに対する長押しのタッチ操作中に、音声認識部１１５が音声認識により設定内容を取得すると、設定情報管理部１１７に対し、設定内容をアイコンａに関連付けて管理させる。さらに、システム制御部１１９は、アイコンａが長押しからプリンターアイコン１３０へのドラッグアンドドロップと変わる一連操作が行われると、プリンターアイコン１３０に関連付けられているアプリケーションの手順に従い、印刷可能なファイルと設定内容とを含む印刷開始を画像形成装置に送信する。これにより、画面のタッチによる一連の操作の中で、音声による設定内容の認識、認識した設定内容の管理、印刷可能なファイルと設定内容とを含む印刷開始の送信といった操作処理を実行できる。
【００２７】
なお、アイコンａに対する長押しのタッチ操作中に限らず、アイコンａのドラッグ中に、音声認識部１１５が音声認識により設定内容を取得すると、設定情報管理部１１７に対し、設定内容をアイコンａに関連付けて管理させてもよい。この場合、アイコンａのドラッグ中に音声入力で設定を完了させ、プリンターアイコン１３０にドロップすると、直ちに印刷可能なファイルと設定内容とを含む印刷開始を画像形成装置に送信できる。また、上述した一連の操作は、たとえばアイコンａに対する長押し、アイコンａのドラッグ、アイコンａのたとえばプリンターアイコン１３０へのドロップまでを含む。このため、アイコンａの長押し中に音声入力して設定を完了し、そのままアイコンａをプリンターアイコン１３０までドラッグし、さらにプリンターアイコン１３０にドロップすることで画像形成装置への送信が完了する。ここで、画像形成装置に対しては、アイコンａに対応する印刷可能なファイルと、設定内容に基づいたアイコンａに対応する印刷可能なファイルの印刷の指示とが送信される。また、画像形成装置に対しては、印刷可能なファイルの画像処理を指示してもよい。
【００２８】
（実施例２）
まず、図３により、携帯端末１００のパネル部１０３での操作処理の実施例２について説明する。図３（ａ）は、図２（ａ）でのアイコンａに対する音声での印刷設定の完了の後の状態を示している。
【００２９】
すなわち、図２（ａ）において、アイコンａに対し、［２ｉｎ１］、及び［モノクロ印刷］とした印刷設定を行わせたとする。ここで、ユーザーは、アイコンａに対して設定した同じ印刷設定の内容を、たとえばアイコンｂにも設定したい場合、長押ししている状態のアイコンａをアイコンｂまでドラッグ（この場合、アイコンａに対し、アイコンｂ上を通過させる）する。このとき、システム制御部１１９は、設定情報管理部１１７に対し、アイコンｂの印刷設定の内容をアイコンａと同じとなるように管理させる（設定内容をコピーさせる）。これにより、アイコンｂに対する印刷設定が完了する。この場合、システム制御部１１９は、上記同様に、パネル操作制御部１１６に対し、パネル部１０３にアイコンｂに対する設定完了を示す内容をポップアップ等で表示させるように指示してもよい。
【００３０】
さらに、ユーザーは、アイコンａが示す印刷可能なファイルを印刷するとき、図３（ｂ）に示すように、長押ししている状態のアイコンａをプリンターアイコン１３０までドラッグし、プリンターアイコン１３０の位置でドロップする。これにより、システム制御部１１９がドラッグアンドドロップされたアイコンａが示す印刷可能なファイルをEEPROM １１４等から読み出し、さらにアイコンａの設定情報を設定情報管理部１１７から受け取り、通信制御部１１１及びアンテナ１０１を介し、画像形成装置に送信する。
【００３１】
なお、ここでは、アイコンａが示す印刷可能なファイルを画像形成装置に送信する場合としているが、アイコンｂが示す印刷可能なファイルも併せて画像形成装置に送信してもよい。この場合、アイコンａをアイコンｂまでドラッグさせたとき、たとえば「同時印刷」とした音声を発する。このとき、音声認識部１１５が音声認識により「同時印刷」を認識し、システム制御部１１９に通知する。そして、アイコンａがプリンターアイコン１３０にドラッグアンドドロップされた際、システム制御部１１９がアイコンａの示す印刷可能なファイルをEEPROM １１４等から読み出すと同時に、アイコンｂの示す印刷可能なファイルをEEPROM １１４等から読み出すことで、アイコンｂが示す印刷可能なファイルも併せて画像形成装置に送信できる。
【００３２】
このように、システム制御部１１９は、アイコンａがアイコンｂ上を通過すると、設定情報管理部１１７に対し、アイコンｂの印刷設定の内容をアイコンａと同じとなるように管理させる。また、システム制御部１１９は、アイコンａをアイコンｂにドラッグした状態からプリンターアイコン１３０へのドラッグアンドドロップと変わる一連操作が行われると、上記同様に、プリンターアイコン１３０に関連付けられているアプリケーションの手順に従い、印刷可能なファイルと設定内容とを含む印刷開始を画像形成装置に送信する。これにより、画面のタッチによる一連の操作の中で、アイコンｂに対する設定内容の管理（設定内容のコピー）、印刷可能なファイルと設定内容とを含む印刷開始の送信といった操作処理を実行できる。
【００３３】
（実施例３）
まず、図４により、携帯端末１００のパネル部１０３での操作処理の実施例３について説明する。図４（ａ）は、上述した図２（ａ）でのアイコンａに対する印刷設定を行うために、アイコンａを長押ししている状態を示している。
【００３４】
ここで、システム制御部１１９は、パネル操作制御部１１６を介し 、アイコンａが長押されていることを確認すると、アイコン種別管理部１１８が管理しているアイコンａ〜ｄのそれぞれの種別を参照し、たとえば長押ししているアイコンａと同じファイル形式のアイコンｂ〜ｄのいずれかをユーザーに知らせる。この場合、システム制御部１１９は、図４（ｂ）に示すように、アイコンｂ、ｄのファイル形式がアイコンａと同じである場合、パネル操作制御部１１６に対し、アイコンｂ、ｄの表示を変化させるように指示する。このとき、パネル操作制御部１１６は、アイコンｂ、ｄを点滅させたり、表示色を変えたりすることで、ユーザーに対しアイコンｂ、ｄのファイル形式がアイコンａと同じであることを知らせることができる。
【００３５】
これにより、ユーザーは、アイコンｂ、又はｄに対し、図３（ａ）と同様に、印刷設定の完了したアイコンａをドラッグすることで、アイコンｂ、又はｄの印刷設定をアイコンａの印刷設定と同じにできる。
【００３６】
このように、システム制御部１１９は、パネル操作制御部１１６を介し、アイコンａが長押しされると、アイコン種別管理部１１８が管理しているアイコンａ〜ｄのそれぞれの種別からアイコンａと同じファイル形式のアイコンｂ〜ｄのいずれかをユーザーに知らせるので、上記同様に、画面のタッチによる一連の操作の中で、アイコンａと同じファイル形式のアイコンｂ〜ｄのいずれかに対する設定内容の管理（設定内容のコピー）、印刷可能なファイルと設定内容とを含む印刷開始の送信といった操作処理を実行できる。
【００３７】
なお、上述した（実施例１）〜（実施例３）に限らず、アイコンａ〜ｄに対する印刷設定画が完了した後、いずれかのアイコンａ〜ｄをタッチ操作すると、印刷設定の内容がポップアップによって表示されるようにしてもよい。
【００３８】
また、いずれかのアイコンａ〜ｄを再度長押しすると、印刷設定の内容が音声（機械音声）で発せられるようにしてもよい。
【００３９】
次に、図５を参照し、携帯端末１００での画面のタッチによる一連の操作の中で実行される操作処理について説明する。なお、以下では、説明の都合上、たとえば図２（ａ）の画面でアイコンａが長押しされ、アイコンａに対する音声入力による印刷設定が完了した後、アイコンａがプリンターアイコン１３０にドラッグアンドドロップされる場合での操作処理について説明する。また、以下では、それぞれのアイコンａ〜ｄが示す印刷可能なファイルは、EEPROM １１４に記憶されているものとする。また、以下では、いずれかのアイコンａ〜ｄが長押しされると、長押しされたアイコンａ〜ｄが選択されるように設定されているものとする。また、長押しは、音声認識の開始として設定されているものとする。
【００４０】
（ステップＳ１０１）
システム制御部１１９は、タッチ操作されたかどうかを判断する。
この場合、システム制御部１１９は、図２（ａ）の画面でパネル操作制御部１１６からのパネル部１０３へのタッチ操作が有ることを示す通知が無ければタッチ操作されていないと判断し（ステップＳ１０１：Ｎｏ）、タッチ操作待ちとなる。
これに対し、システム制御部１１９は、図２（ａ）の画面でパネル操作制御部１１６からのパネル部１０３へのタッチ操作が有ることを示す通知が有ればタッチ操作されたと判断し（ステップＳ１０１：Ｙｅｓ）、ステップＳ１０２に移行する。
【００４１】
（ステップＳ１０２）
システム制御部１１９は、長押しかどうかを判断する。
この場合、システム制御部１１９は、図２（ａ）の画面でパネル操作制御部１１６からのパネル部１０３へのタッチ操作が長押しであることを示す通知が無ければ長押しでないと判断し（ステップＳ１０２：Ｎｏ）、ステップＳ１０１に戻る。
これに対し、システム制御部１１９は、図２（ａ）の画面でパネル操作制御部１１６からのパネル部１０３へのタッチ操作が長押しであることを示す通知が有れば長押しであると判断し（ステップＳ１０２：Ｙｅｓ）、ステップＳ１０３に移行する。
【００４２】
（ステップＳ１０３）
システム制御部１１９は、長押しされたアイコンａ〜ｄを選択させる。
ここで、アイコンａが長押しされたとする。
この場合、システム制御部１１９は、パネル操作制御部１１６に対し、アイコンａを選択させる。
このとき、パネル操作制御部１１６は、図２（ａ）の画面でアイコンａの選択を受け付ける。
【００４３】
（ステップＳ１０４）
システム制御部１１９は、音声認識部１１５に対し、音声認識を開始させる。
このとき、音声認識部１１５は、マイク１０２からの音声入力待ちとなる。
【００４４】
（ステップＳ１０５）
システム制御部１１９は、音声を取得したかどうかを判断する。
この場合、システム制御部１１９は、マイク制御部１１２からのマイク１０２を介して音声を取得したことを示す通知が無ければ音声を取得していないと判断する（ステップＳ１０５：Ｎｏ）。
これに対し、システム制御部１１９は、マイク制御部１１２からのマイク１０２を介して音声を取得したことを示す通知が有れば音声を取得したと判断し（ステップＳ１０５：Ｙｅｓ）、ステップＳ１０６に移行する。
【００４５】
（ステップＳ１０６）
システム制御部１１９は、音声認識が完了したかどうかを判断する。
この場合、システム制御部１１９は、音声認識部１１５からの音声認識した内容を示すデータ（たとえば［２ｉｎ１］、及び［モノクロ印刷］を示すデータ）を受け取っていなければ音声認識が完了していないと判断し（ステップＳ１０６：Ｎｏ）、音声認識の完了待ちとなる。
これに対し、システム制御部１１９は、音声認識部１１５からの音声認識した内容を示すデータ（たとえば［２ｉｎ１］、及び［モノクロ印刷］を示すデータ）を受け取ると、音声認識が完了したと判断し（ステップＳ１０６：Ｙｅｓ）、ステップＳ１０７に移行する。
【００４６】
（ステップＳ１０７）
システム制御部１１９は、設定情報管理部１１７に対し、印刷設定を管理させる。
この場合、システム制御部１１９は、設定情報管理部１１７に対し、印刷設定の対象がアイコンａであることと、アイコンａに対する印刷設定が、たとえば［２ｉｎ１］、及び［モノクロ印刷］であることを通知する。
このとき、設定情報管理部１１７は、たとえば［２ｉｎ１］、及び［モノクロ印刷］である印刷設定の内容を、アイコンａに関連付けて管理する。
【００４７】
（ステップＳ１０８）
システム制御部１１９は、プリンターアイコン１３０へのアイコンａのドラッグアンドドロップが有るかどうかを判断する。
この場合、システム制御部１１９は、パネル操作制御部１１６からのアイコンａがプリンターアイコン１３０にドラッグアンドドロップされたことを示す通知が無ければプリンターアイコン１３０へのアイコンａのドラッグアンドドロップが無いと判断し（ステップＳ１０８：Ｎｏ）、処理を終了する。このとき、設定情報管理部１１７により、アイコンａに対する設定内容が管理される。
これに対し、システム制御部１１９は、パネル操作制御部１１６からのアイコンａがプリンターアイコン１３０にドラッグアンドドロップされたことを示す通知が有ればプリンターアイコン１３０へのアイコンａのドラッグアンドドロップが有ると判断し（ステップＳ１０８：Ｙｅｓ）、ステップＳ１０９に移行する。
【００４８】
（ステップＳ１０９）
システム制御部１１９は、印刷情報を画像形成装置に送信させる。
この場合、システム制御部１１９は、プリンターアイコン１３０にドラッグアンドドロップされたアイコンａが示す印刷可能なファイルをEEPROM １１４等から読み出し、さらにアイコンａの設定情報を設定情報管理部１１７から受け取る。そして、システム制御部１１９は、印刷開始の指示とともに、印刷可能なファイルとアイコンａの設定内容とを印刷情報とし、通信制御部１１１及びアンテナ１０１を介し、画像形成装置に送信する。
【００４９】
このように、本実施形態では、パネル部１０３によって印刷可能なファイルに関連付けられたアイコンａ〜ｄ（第１のアイコン）と、印刷開始を指示するアプリケーションに関連付けられたプリンターアイコン１３０（第２のアイコン）とを表示し、パネル操作制御部１１６により、いずれかのアイコンａ〜ｄ（第１のアイコン）へのタッチ操作を受け付け、この受け付けたいずれかのアイコンａ〜ｄ（第１のアイコン）に対する操作処理を行い、音声認識部１１５により、マイク１０２が取り込んだ音声による設定内容を認識し、設定情報管理部１１７により、設定内容を管理し、システム制御部１１９により、パネル操作制御部１１６がいずれかのアイコンａ〜ｄ（第１のアイコン）へのタッチ操作に基づく操作処理の途中で、音声認識部１１５が設定内容を認識すると、設定情報管理部１１７に対し、設定内容を、いずれかのアイコンａ〜ｄ（第１のアイコン）に関連付けて管理させる。また、システム制御部１１９は、いずれかのアイコンａ〜ｄ（第１のアイコン）がプリンターアイコン１３０（第２のアイコン）にドラッグアンドドロップされると、アプリケーションの手順に従い、印刷可能なファイルを含め、設定内容に基づいた印刷ファイルの印刷等の画像処理の指示を画像形成装置に送信する。
【００５０】
これにより、画面のタッチによる一連の操作の中で、音声による設定内容に基づいての操作処理である、音声による設定内容の認識、認識した設定内容の管理、印刷可能なファイルと設定内容とを含む印刷開始の指示等を実行できるため、操作性を高めることがきる。
【００５１】
なお、本実施形態では、画像処理として印刷を例示したが、この例に限らず、印刷可能なファイルのＦＡＸ送信、データ送信、保存等のいずれかを指示してもよい。この場合、プリンターアイコン１３０に代えてＦＡＸ送信アイコン、データ送信アイコン、保存アイコン等をパネル部１０３に表示させることで、プリンターアイコン１３０と同様に、画面のタッチによる一連の操作の中で印刷以外の指示を出すことも可能となる。
【００５２】
なお、本実施形態では、電子機器として携帯端末１００を例示したが、タッチ操作方式のパネル部を有する電子機器であればよく、たとえばＭＦＰ(Multifunction Peripheral)等の画像形成装置等にも適用可能である。
【符号の説明】
【００５３】
１００  携帯端末
１０１  アンテナ
１０２  マイク
１０３  パネル部
１１０  制御部
１１１  通信制御部
１１２  マイク制御部
１１３  ＲＡＭ
１１４  EEPROM
１１５  音声認識部
１１６  パネル操作制御部
１１７  設定情報管理部
１１８  アイコン種別管理部
１１９  システム制御部
１２０  データバス
１３０  プリンターアイコン
ａ〜ｄ  アイコン
【図１】
2019139674.tif 000003
【図２】
2019139674.tif 000004
【図３】
2019139674.tif 000005
【図４】
2019139674.tif 000006
【図５】
2019139674.tif 000007